(57)【要約】【課題】殺菌機能、脱臭機能および微粒子の捕集機能を有した廉価な複合エアフィルタを提供する。【解決手段】合成繊維を主体とした不織布からなる第１の表層と、合成繊維を主体とした不織布からなる第２の表層との間に、機能性中間層を挟み込み、この機能性中間層として、銅を含む合成樹脂繊維に粘着剤が付着した合成樹脂不織布層と、活性炭粉末を含む合成樹脂フォーム層と、表裏面に酸化亜鉛粉末が付着したフィルタ層とを気体の流れる方向に向かって順次積層したものを採用した。これにより、殺菌機能、脱臭機能および微粒子の捕集機能を有した廉価な複合エアフィルタを提供できる。【選択図】図１
2014064802.tif 000002
【特許請求の範囲】
【請求項１】
合成繊維を主体とした不織布からなる第１の表層と、合成繊維を主体とした不織布からなる第２の表層との間に機能性中間層を挟み込んで積層体とし、かつ前記第１の表層、前記第２の表層、前記機能性中間層のうち、隣接するもの同士を部分的に接合することで前記積層体を一体化した複合エアフィルタであって、
前記機能性中間層は、
銅を含有した合成樹脂繊維に粘着剤が付着した合成樹脂不織布層と、
活性炭粉末を含む合成樹脂フォーム層と、
表面および裏面に酸化亜鉛粉末が付着したフィルタ層とを、濾過される気体が流れる方向に向かって順次積層したものである複合エアフィルタ。
【請求項２】
前記機能性中間層は、
前記フィルタ層の表面および裏面に、前記活性炭粉末を含む合成樹脂フォーム層と、前記合成樹脂不織布層とが、それぞれ順に積層された５層構造体である請求項１に記載の複合エアフィルタ。
【発明の詳細な説明】
【技術分野】
【０００１】
この発明は複合エアフィルタ、詳しくは銅粉末および酸化亜鉛による殺菌機能、活性炭粉末および酸化亜鉛による脱臭機能および紙による花粉や埃を含む微粒子の捕集機能を有した複合エアフィルタに関する。
【背景技術】
【０００２】
複合エアフィルタの１種として、例えば特許文献１の「アレルギー発症予防用フィルター」が知られている。これは、それぞれが熱接着性複合繊維（合成繊維）を主体としたエアレイド不織布からなる下層（第１の表面層）と上層（第２の表面層）との間に、非晶質鉄水酸化物または非晶質鉄水酸化物および活性炭粉末粒子を主成分とする機能性粒子を含む中間層を挟持して積層体とし、その後、上下層の熱接着性複合繊維を熱接着することで、各層を一体化したものである。アレルギー発症予防用フィルターは、アレルギーのもとになるアレルゲンや、空気中に混在するアレルギーを促進する有害物質を除去することができる。また、活性炭粉末粒子、非晶質水酸化鉄粒子などの機能性粒子が中間層に含まれ、かつ熱接着性複合繊維の溶融部に接着しているため、不織布からの離脱がない。
【特許文献１】特開２００９−２１４０１６号公報
【発明の概要】
【発明が解決しようとする課題】
【０００３】
しかしながら、特許文献１に記載された「アレルギー発症予防用フィルター」は、その機能がアレルゲンや、空気中に混在するアレルギーを促進する有害物質を除去するのみであり、空気中に含まれる細菌やウイルスなどの殺菌機能を有していなかった。しかも、消臭機能および花粉や埃を含む微粒子の捕集機能についても充分とは言えなかった。
【０００４】
そこで、発明者は鋭意研究の結果、それぞれが合成繊維を主体とした不織布からなる第１の表層と第２の表層との間に、銅を含有した合成樹脂繊維に粘着剤が付着した合成樹脂不織布層と、活性炭粉末を含む合成樹脂フォーム層と、表面および裏面に酸化亜鉛粉末が付着したフィルタ層とからなる機能性中間層を挟み込めば、上述した問題はすべて解消されることを知見した。
【０００５】
そこで、この発明は、殺菌機能、脱臭機能および微粒子の捕集機能を有する複合エアフィルタを提供することを目的としている。
【課題を解決するための手段】
【０００６】
請求項１に記載の発明は、合成繊維を主体とした不織布からなる第１の表層と、合成繊維を主体とした不織布からなる第２の表層との間に機能性中間層を挟み込んで積層体とし、かつ前記第１の表層、前記第２の表層、前記機能性中間層のうち、隣接するもの同士を部分的に接合することで前記積層体を一体化した複合エアフィルタであって、前記機能性中間層は、銅を含有した合成樹脂繊維に粘着剤が付着した合成樹脂不織布層と、活性炭粉末を含む合成樹脂フォーム層と、表面および裏面に酸化亜鉛粉末が付着したフィルタ層とを、濾過される気体が流れる方向に向かって順次積層したものである複合エアフィルタである。
【０００７】
ここでいう「複合エアフィルタ」とは、機能性フィルタの一種である、銅粉末を含む合成樹脂不織布層と、活性炭粉末を含む合成樹脂フォーム層と、酸化亜鉛粉末を含むフィルタ層とを積層して得られた機能性中間層を、合成繊維を主体とした不織布からなる第１の表層および第２の表層により挟み込んで積層体とし、この積層体を部分的に接合して一体化したものである。ここでの接合方法としては、第１の表層の合成繊維および第２表層の合成繊維として熱融着性のものを採用した場合における熱融着、接着剤を用いた場合における接着、その他、隣接する不織布間での繊維同士の交絡などを採用することができる。
濾過される気体としては、例えば空気、その他のガスでもよい。
複合エアフィルタの用途は限定されない。例えばタバコの煙を吸引し、この煙を清浄処理する卓上の煙清浄装置といった空気清浄機に内蔵され、空気清浄機の内部通路を通過する空気の濾過などが挙げられる。「タバコの煙の清浄処理」とは、タバコの煙に対して、煙に含まれる灰の除去、煙の臭い消し、煙に含まれるニコチン、タールなどの有害物質の軽減、殺菌処理、無煙化処理のうち、少なくとも１つを行うことをいう。
【０００８】
第１の表層および第２の表層は、合成繊維を主体とした不織布である。
合成繊維としては、例えばポリプロピレン繊維、ポリエチレンテフタレート繊維、レーヨン繊維、ポリエチレン繊維（長繊維でも短繊維でもよい）などを採用することができる。第１の表層および第２の表層に含まれる他の繊維としては、例えば綿、麻、絹といった天然繊維などを採用することができる。
第１の表層および第２の表層の目付は、１５〜４０ｇ／ｍ２である。両表層に使用される不織布としては、ケミカル不織布、ニードルパンチフェルト（不織布）、水絡結合によるウォータジェット不織布、スパンボンド不織布、メルトブロー不織布などを採用することができる（合成樹脂不織布層も同様）。両表層は、同一素材、同一目付、同一厚さとしてもよいし、そうでなくてもよい。
【０００９】
ここでいう「機能性中間層」とは、この機能性中間層を構成する繊維の表面に所定の機能性粉末等（機能性溶液など）が保持され、または繊維中に機能性粉末等が混練などで含まれることにより、機能性中間層に、殺菌機能、脱臭機能および微粒子の捕集機能を付与したものである。機能性中間層を構成する合成樹脂不織布層と、合成樹脂フォーム層と、フィルタ層とは少なくとも１層ずつ有していればよい。機能性中間層は、その合成樹脂不織布層側の面を第１の表層側に向けても、第２の表層側に向けてもよい。
【００１０】
粘着剤としては、例えば、公知のアクリル系、ゴム系、シリコーン系のものを採用することができる。
合成樹脂繊維としては、例えばポリプロピレン繊維、ポリエチレンテレフタレート繊維、レーヨン繊維、ナイロン（登録商標）繊維などを採用することができる。また、合成樹脂不織布層としては、例えばポリプロピレン不織布層、ポリエチレンテレフタレート不織布層、レーヨン不織布層、ナイロン（登録商標）不織布層などを採用することができる。
銅粉末の合成樹脂繊維への含有方法としては、銅を含む溶液によって合成樹脂繊維からなる不織布を染色する方法などを採用することができる。合成樹脂不織布層の目付は、例えば３０ｇ／ｍ２程度で、その厚さは例えば２ｍｍ程度である。染色された合成樹脂不織布層は、銅の効果として防臭（脱臭）、抗菌効果を有する。銅を含有する合成樹脂繊維に粘着剤が付着した合成樹脂不織布層としては、例えば、アンモニア、トリメチルアミン、汗臭を脱臭するものなどを採用することができる。
【００１１】
合成樹脂フォーム層としては、例えばポリウレタンフォーム層、ゴムスポンジ層などを採用することができる。
（軟質）合成樹脂フォーム層の密度は２５〜３５ｋｇ／ｍ３である。これにより、合成樹脂フォーム層が、適度な硬度と柔軟性を備えた多孔質な軟質樹脂層となり、その結果、フィルタ層の対応する面から露出（突出）した紙繊維（パルプ繊維など）が、合成樹脂フォーム層のフィルタ層側の面の大小様々な凹凸部分に、あたかもこの凹凸部分が面ファスナのように着脱可能に接合（掛止）される。これにより、熱融着前の単なる各層の重ね合わせ時において、合成樹脂フォーム層とフィルタ層とを、容易には位置ずれしない仮止め状態とすることができる。
【００１２】
合成樹脂フォーム層への活性炭粉末の含有方法としては、例えば合成樹脂への練り込み法、活性炭粉末を含む粘着剤、接着剤による固定方法などを採用することができる。活性炭粉末の平均粒径は１〜１００μｍである。練りこみ法による活性炭粉末の含有量は、合成樹脂フォーム（ウレタンフォーム、ゴムスポンジ）１００重量部に対して５〜２０重量部である。
フィルタ層の素材としては、ペーパー、不織布などを採用することができる。
フィルタ層の目付は４０〜６０ｇ／ｍ２である。フィルタ層の表裏面（露出面）に付着される酸化亜鉛粉末の平均粒径は２〜１１μｍである。
【００１３】
請求項２に記載の発明は、前記機能性中間層は、前記フィルタ層の表面および裏面に、前記活性炭粉末を含む合成樹脂フォーム層と、前記合成樹脂不織布層とが、それぞれ順に積層された５層構造体である請求項１に記載の複合エアフィルタである。
【発明の効果】
【００１４】
請求項１に記載の発明によれば、例えば、濾過される気体を第１の表層から機能性中間層、第２の表層へと順次通過させた場合、機能性中間層では、まず粘着剤によって気体中の細菌やウイルスが合成樹脂不織布層の合成樹脂繊維に離脱不能状態で捕獲され、合成樹脂繊維に含有された銅によって殺菌される。その後、こうして細菌やウイルスが低減された気体は、気体中の臭い成分を含む微粒子が、合成樹脂フォーム層を通過する際に活性炭粉末に捕集され、気体が脱臭される。その後、フィルタ層により花粉や埃を含む微粒子が捕集されるとともに、このフィルタ層の表裏面に付着した酸化亜鉛粉末により、機能性中間層の抗菌性および脱臭性がともに高められる。このように構成したため、殺菌機能、脱臭機能および微粒子の捕集機能を有した廉価な複合エアフィルタを提供することができる。
【００１５】
特に、請求項２に記載の発明によれば、フィルタ層を基準（中心層）として、フィルタ層の表面および裏面に、それぞれ順次、合成樹脂フォーム層と合成樹脂不織布層と積層し、５層構造の機能性中間層を作製したため、例えば、空気清浄機の内部流路で複合エアフィルタを使用する際、内部流路の上流側に向ける面が、第１の表層側の面、第２の表裏側の面の何れにも拘わらず、上述した機能性中間層の本来の効果を得ることができる。
【図面の簡単な説明】
【００１６】
【図１】この発明の実施例１に係る複合エアフィルタの拡大断面図である。
【図２】この発明の実施例１に係る複合エアフィルタが内蔵された煙清浄装置を示す斜視図である。
【図３】この発明の実施例１に係る複合エアフィルタが内蔵された煙清浄装置の分解斜視図である。
【発明を実施するための形態】
【００１７】
以下、この発明の実施例を具体的に説明する。ここでは、タバコの煙を浄化するポータブルな煙清浄装置の内部通路に装着される複合エアフィルタを例とする。説明の都合上、図中のＸ１方向を煙清浄装置の前方向とし、Ｘ２方向をその後方向とし、Ｙ１方向をその左方向とし、Ｙ２方向をその右方向とし、Ｚ１方向をその上方向とし、Ｚ２方向をその下方向とする。
【実施例】
【００１８】
図１および図２において、１０はこの発明の実施例１に係る複合エアフィルタで、この複合エアフィルタ１０は、熱融着性合成繊維を主体とした矩形状の不織布からなる第１の表層５１および第２の表層５２との間に、同一形状の機能性中間層５３が挟み込まれ、得られた積層体Ａの外周部のみを矩形枠状にプレス加熱し、第１の表層５１および第２の表層５２の熱融着性合成繊維の一部を溶かして一体化された積層面材である。この機能性中間層５３は、ペーパー、不織布などからなるフィルタ層５４の酸化亜鉛粉末がそれぞれ付着した表面および裏面に、順次、活性炭粉末を含むポリウレンタンフォーム、ゴムスポンジなどからなる合成樹脂フォーム層５５と、銅粉末を練り込んだ粘着剤を、例えばポリプロピレン繊維、ポリエチレンテレフタレート繊維、レーヨン繊維、ナイロン（登録商標）繊維といった合成樹脂繊維に付着することで作製された、例えばポリプロピレン不織布層、ポリエチレンテレフタレート不織布層、レーヨン不織布層、ナイロン（登録商標）不織布層などの合成樹脂不織布層５６とが積層された５層構造のものである。したがって、複合エアフィルタ１０は７層構造の機能性フィルタとなっている。この複合エアフィルタ１０は、タバコの煙を浄化するポータブルな煙清浄装置３０の内部通路に設置される。
【００１９】
以下、これらの構成体を具体的に説明する。
第１の表層５１および第２の表層５２は、スパンボンド法によりフリースが形成された合成樹脂長繊維１００％（合成樹脂短繊維でも可能）をそれぞれ絡み合わせた不織布で、その目付は３０ｇ／ｍ２である。
【００２０】
フィルタ層５４は、目付が４０〜６０（例えば５０）ｇ／ｍ２で、厚さが１．０〜１．２（例えば１．１）ｍｍのパルプ繊維１００％の紙である。フィルタ層５４の表面に付着する酸化亜鉛粉末の平均粒径は２〜１１（例えば１０）μｍである。
合成樹脂フォーム層５５は、厚さ５ｍｍ、密度３０ｋｇ／ｍ３で、これに平均粒径が５０μｍの活性炭粉末を、合成樹脂フォーム（ウレタンフォーム、ゴムスポンジ）１００重量部に対して１０重量部だけ混練した軟質発泡性合成樹脂である。
この活性炭粉末を含む合成樹脂フォーム層５５による脱臭率は、アンモニアが６５．３％、ホルムアルデヒドが７０．２％、硫化水素が６８．３％である。
【００２１】
銅を含む溶液によって染色された合成樹脂不織布層５６は、アクリル系の粘着剤が、各繊維の表面に付着した合成樹脂短繊維１００％の不織布で、アンモニア、トリメチルアミン、汗臭の脱臭性に優れたものを採用している。合成樹脂不織布層５６の目付は４０ｇ／ｍ２で、厚さが２ｍｍである。
【００２２】
次に、図２および図３を参照して、前記煙清浄装置３０を詳細に説明する。
図２および図３において、煙清浄装置３０は、ポータブル送風機（以下、送風機）１００が一対の磁石１４を介して磁着され、送風機１００のファン１１により発生した負圧力でタバコの煙を通気路３１に吸い込み、清浄処理する装置である。ファン１１はシロッコファンである。
【００２３】
以下、これらの構成体を具体的に説明する。
煙清浄装置３０は、主に、前記送風機１００と、送風機１００が一対の磁石１４を介して表側に掛止される掛止台３２と、掛止台３２に掛止された送風機１００のファン１１からの風が導入される前記通気路３１が内部形成され、かつ掛止台３２の裏側に着脱自在に嵌合される煙清浄台３３とから構成されている。
【００２４】
掛止台３２および煙清浄台３３は、同一素材のプラスチックからなる。これらは、上下を反対にして使用されるものの、側面視して直角三角形状に近似した略同一の台形台形状の容器である。
また、掛止台３２および煙清浄台３３の嵌合面は、それぞれの露出面のうち、前記側面視して直角三角形の斜辺に当たる面で、いずれもＸ１−Ｘ２方向に長い矩形状を有している。このうち、掛止台３２の嵌合面（下面）には下向きの開口が形成され、煙清浄台３３の嵌合面（上面）には上向きの開口が形成されている。掛止台３２および煙清浄台３３の各嵌合面３２ａ，３３ａの外周部には、嵌合時に互いに嵌り合う矩形形状の嵌合枠３２ｂ，３３ｂがそれぞれ形成されている。
【００２５】
前記掛止台３２の上面には、外周部を除く全域に、送風機１００を嵌合する平面視して矩形状の掛合凹部３２ｄが形成されている。掛合凹部３２ｄの奥板のうち、Ｘ２側の端部の裏面には、前記一対の磁石１４が磁着するＹ１−Ｙ２方向に長い矩形状の鉄板３７が固定されている。また、掛合凹部３２ｄのＸ２方向の端部のうち、Ｙ２側の半分には、前記ケーシング１２の排気口１２ｂと同一形状で、かつ送風機１００の掛合時、排気口１２ｂと重なり合う貫通口３８が形成されている。
また、前記煙清浄台３３には、その上面に形成された開口３３ａを塞ぐ、湾曲可能なプラスチック薄板からなる蓋体３９が、煙清浄台３３の内部空間に抜き差し自在に挿入されている。
【００２６】
蓋体３９は、平行に離間した短幅な２枚の側板３９ａと、両側板３９ａの上端部を連結する平面視してＸ１−Ｘ２方向に長い矩形状の上板３９ｂと、上板３９ｂのＸ１側の辺に、その全長にわたって下方へ内折り可能に連結されたＸ１−Ｘ２方向の長さが短い前下板３９ｃと、上板３９ｂのＸ２側の辺に、その全長にわたって上方へ内折り可能に連結され、かつ複合エアフィルタ１０のＸ２側の端部を、上板３９ｂのＸ２側の端部との間で包み込む、Ｘ１−Ｘ２方向に長い後上板３９ｄとを有している。後上板３９ｄの上面には、複合エアフィルタ１０と同一構造を有し、かつ複合エアフィルタ１０よりＸ１−Ｘ２方向に短尺でＹ１−Ｙ２方向に長い短冊形状の複合エアフィルタ１０Ａが載置される。上板３９ｂのＸ１側の端部には、外周部を残して矩形状の窓部４０が形成されている。また、後上板３９ｄの外周部を除く全域には、窓部４０と同一の窓部４０Ａが形成されている。窓部４０Ａは、複合エアフィルタ１０および複合エアフィルタ１０Ａを煙清浄台３３の通気路３１に収納した際、複合エアフィルタ１０および複合エアフィルタ１０Ａによりフィルタリングされた煙が、排気用凹部４１の３段式のスリット排気口４２を通過して大気解放されるときの蓋体３９の排気用の開口となる。
【００２７】
煙清浄台３３の下部のＸ２側のコーナーには、外周部を除いて上面が法面となった排気用凹部４１が形成されている。この排気用凹部４１の傾斜した上面には、Ｙ１−Ｙ２方向に長い３段式のスリット排気口４２が形成されている。これにより、蓋体３９を有した煙清浄台３３の内部空間には、上流側の開口が窓部４０で、かつ下流側の開口がスリット排気口４２となった前記通気路３１が形成される。
蓋体３９の表側には、窓部４０，４０Ａを内側から覆うように、平面視して矩形状の前記複合エアフィルタ１０が長尺な後上板３９ｄによって、Ｘ１−Ｘ２方向から着脱可能に包み込まれている。また、前記複複合エアフィルタ１０Ａが後上板３９ｄの上面に、窓部４０Ａを上側から塞ぐように載置されている。
【００２８】
次に、図１〜図３を参照して、実施例１に係る複合エアフィルタ１０を内蔵した煙清浄装置３０の使用方法を説明する。
煙清浄装置３０の使用時には、送風機１００を掛止台３２の掛合凹部３２ｄに、排気口１２ｂと貫通口３８とを重ね合わせて掛合する。このとき、ケーシング１２に固定された一対の磁石１４が、掛合凹部３２ｄの奥板の裏面の鉄板３７に磁着される。
次いで、下面を下に向けてテーブルに載置された煙清浄台３３に、互いの背板３２ｃ、３３ｃをＸ２側に向けた状態で矩形状の嵌合枠３２ｂ、３３ｂを嵌め合わせて、送風機１００付きの掛止台３２を嵌合する。これにより、煙清浄装置３０が組み立てられる。このとき、複合エアフィルタ１０および複合エアフィルタ１０Ａは、それぞれ第１の表層５１を上に向けて（上流に向けて）煙清浄台３３の通気路３１に収納され、また送風機１００の吸気口１２ａは、水平面を基準として約３０°の傾斜状態でＸ１方向（前方）を向いている。
【００２９】
その後、送風機１００のファン１１を作動させ、喫煙者が吸気口１２aに向かってタバコの煙を吹きかけることで、煙は、その中に含まれた灰がフィルタ１９により捕集され、排気口１２ｂおよび貫通口３８を順次通過して掛止台３２の内部空間に流れ込む。その後、煙は複合エアフィルタ１０Ａによりろ過された後、後上板３９ｄの窓部４０Ａを通過し、複合エアフィルタ１０を通過し、て、蓋体３９の窓部４０を通過して、煙清浄台３３の通気路３１に流れ込む。このとき、複合エアフィルタ１０および複合エアフィルタ１０Ａを通過する煙は、それぞれ第１の表層５１から機能性中間層５３、第２の表層５２へと順次通過する。
【００３０】
具体的には、第１の表層５１により微細な埃などが捕集され、機能性中間層５３において、上流側の合成樹脂不織布層５６の粘着剤によって、気体中の細菌やウイルスが合成樹脂不織布層５６の合成樹脂繊維に離脱不能状態で捕獲され、合成樹脂繊維に含まれた銅によって殺菌される。その後、上流側の合成樹脂フォーム層５５に含まれた活性炭粉末によりタバコの臭いを脱臭し、次にフィルタ層５４により花粉や埃を含む微粒子を捕集するとともに、この表面に付着した酸化亜鉛粉末により、機能性中間層５３の抗菌性および脱臭性が高められる。このような構成としたため、殺菌機能、脱臭機能および微粒子の捕集機能を有した廉価な複合エアフィルタ１０を提供することができる。
フィルタ層５４を通過したタバコの煙は、その後も下流側の合成樹脂フォーム層５５と下流側の合成樹脂不織布層５６とを順次通過し、通過中の煙に対して、上述した上流側の合成樹脂フォーム層５５の機能と上流側の合成樹脂不織布層５６の機能とを、順次果たす。その後、清浄化された煙は、煙清浄台３３のスリット排気口４２から大気解放される。
【００３１】
このように、フィルタ層５４を基準（中心層）として、フィルタ層５４の表面および裏面に、それぞれ順に合成樹脂フォーム層５５と合成樹脂不織布層５６と積層し、５層構造の機能性中間層５３を作製したため、内部流路の上流側に向ける面が、第１の表層５１側の面および第２の表裏側の面に拘わらず、機能性中間層５３の本来の効果を得ることができる。
また、熱融着前の単なる各層５１，５２，５４〜５６の重ね合わせ時に、両合成樹脂不織布層５６を接着剤層として、上流側の合成樹脂不織布層５６の一方の面と接する第１の表層５１と、上流側の合成樹脂不織布層５６の他方の面と接する上流側の合成樹脂フォーム層５５とを、互いに位置ずれしないように仮止めすることができる。同様に、下流側の合成樹脂不織布層５６の一方の面と接する第２の表層５２と、下流側の合成樹脂不織布層５６の他方の面と接する下流側の合成樹脂フォーム層５５とを、互いに位置ずれしないように仮止めすることができる。
【００３２】
しかも、合成樹脂フォーム層５５の平均粒径５０μｍの活性炭粉末の含有量を、合成樹脂１００重量％に対して１０重量％としたことで、両合成樹脂フォーム層５５が、適度な硬度と柔軟性とを備えた発泡性の軟質樹脂層となる。これにより、両合成樹脂フォーム層５５の表裏面に現出したサイズや形状が複雑に異なる凹凸部分（気泡カット部分）が、フィルタ層５４の対応する面から一部が露出（突出）した多数本の紙繊維（パルプ繊維など）に対して、繊維が絡み合って接合する。その結果、熱融着前の単なる各層５１，５２，５４〜５６の重ね合わせ時において、隣接する合成樹脂フォーム層５５とフィルタ層５４とを、簡単には位置ずれしない仮止め状態とすることができる。
【産業上の利用可能性】
【００３３】
この発明の複合エアフィルタは、空気清浄機用のフィルタ、および、タバコの煙を浄化する持ち運び可能な煙清浄装置用のフィルタなどとして有用である。
【符号の説明】
【００３４】
１０  複合エアフィルタ、
５１  第１の表層、
５２  第２の表層、
５３  機能性中間層、
５４  フィルタ層、
５５  合成樹脂フォーム層、
５６  合成樹脂不織布層、
Ａ  積層体。
【図１】
2014064802.tif 000003
【図２】
2014064802.tif 000004
【図３】
2014064802.tif 000005